(57)【要約】抽出によって、それぞれに対応する飲料を特に温かい飲み物をとりわけコーヒーを生産する製品（１１）を開示する。飲料は好ましくは、抽出用液体を特に水の態様のとりわけ湯の態様の抽出用液体を用いるそれぞれに関連する機械において抽出を行うことによって得られる。製品は、抽出原料を好ましくは焙煎され挽豆されたコーヒーの態様の抽出原料を、ぎっしり詰められた構成で、すなわちそれぞれの構成粒子が互いに密着している構成で、備えている。抽出製品（１１）は、軸方向（Ｌ）に沿って対向する長手方向端部（１１ａ，１１ｂ）間に延設されており、抽出製品の周面（１１ｅ）が、長手方向に延設されるとともに、適当な抽出用容器（１２）の特にアダプター容器の態様の対応する内面の形状と係合し一致するよう対応する一方の長手方向端部（１１ａ）に向かって窄んでいる。【選択図】図３【特許請求の範囲】
【請求項１】
抽出によって、それぞれに対応する飲料を特に温かい飲み物をとりわけコーヒーを生産する製品（１１）であって、前記飲料は好ましくは、抽出用液体を特に水の態様のとりわけ湯の態様の抽出用液体を用いるそれぞれに関連する機械において抽出を行うことによって得られ、前記製品は、適当な抽出用容器（１２）に特にアダプター容器の態様の抽出用容器に収容されるよう好ましくは設計されている抽出原料（１３）を好ましくは焙煎され挽豆されたコーヒーの態様の抽出原料を備えている製品において、
前記抽出原料はぎっしり詰められて構成されており、すなわち、それぞれの構成粒子が互いに密着しており、
前記抽出製品（１１）は、軸方向（Ｌ）に沿って対向する長手方向端部（１１ａ，１１ｂ）間に延設されており、前記抽出製品の周面（１１ｅ）または周面の一部分が、長手方向に延設されるとともに対応する一方の長手方向端部（１１ａ）に向かって窄み、前記抽出用容器（１２）の対応する内側形状と係合するように設計されている製品。
【請求項２】
請求項１に記載の製品において、ぎっしり詰まった原料を囲繞する、より具体的には、前記製品の前記外面（１１ｅ）を構成する、好ましくは前記抽出原料（１３）の周囲全体を包装する、生物分解性または生物によって堆肥化可能な、特に食品安全性がある、好ましくはＰＬＡである、濾過用材料で形成されるフィルム（１５）を備える製品。
【請求項３】
請求項１または２に記載の製品において、前記抽出製品の周面（１１ｅ）または周面の一部（１１’）の形状が半球状または略半球状である製品。
【請求項４】
請求項１から３のいずれか一に記載の製品において、前記周面（１１ｅ）の一部分（１１”）の形状が円筒状または略円筒状であり、特に前記半球状または略半球状部分は前記円筒状または略円筒状部分から延設されている製品。
【請求項５】
請求項１から４のいずれか一に記載の製品において、前記製品（１１）は、広い端面（１１ｐ）を特に平坦な広い端面を有する製品。
【請求項６】
請求項２から５のいずれか一に記載の製品において、前記包装フィルム（１５）は、前記製品の前記端面を構成し、特に半球状または略半球状構成と必要に応じて円筒状または略円筒状部分とを有する製品。
【請求項７】
請求項２から６のいずれか一に記載の製品において、前記包装フィルム（１５）は、前記製品の前記平坦な端面を形成している製品。
【請求項８】
請求項２から７のいずれか一に記載の製品において、前記包装フィルム（１５）は、前記抽出原料に密着している、特に前記原料の外側の側面（１３ｅ）および／または前記原料の水平端面（１３ｐ）に完全に密着している、すなわち、前記原料の全表面に密着している製品。
【請求項９】
請求項１から８のいずれか一に記載の製品において、前記抽出原料のタブレット（１３）は、特に前記包装フィルム（１５）が密着しているタブレットは、それぞれの粒子から、特に粉末、果粒、小片群および／または同種のものから得られ、好ましくは前記フィルムに挿入されて超音波エネルギーを受けた製品。
【請求項１０】
請求項２から９のいずれか一に記載の製品において、前記包装フィルム（１５）は、突出周辺縁部を、特に前記製品の中央領域に向かって抽出用液体を移動させる手段を構成する突出周辺縁部を有する製品。
【請求項１１】
請求項１から１０のいずれか一に記載の製品において、前記抽出製品（１１）は、保護包装材を、好ましくはアルミニウム・フィルムで形成される保護包装材を備える製品。
【請求項１２】
請求項１から１１のいずれか一に記載の製品において、前記抽出製品（１１）の長手方向長さまたは高さは、当該抽出製品の幅または直径の半分より大きい製品。
【請求項１３】
抽出によって、それぞれに対応する飲料を特に温かい飲み物をとりわけコーヒーを生産するそれぞれの製品（１１）の抽出のための容器（１２）であって、前記飲料は好ましくは、抽出用液体を特に水の態様のとりわけ湯の態様の抽出用液体を用いるそれぞれに関連する機械によって得られ、前記容器は、前記抽出機械のそれぞれの受け部に差し込まれるように設計されており、前記容器は、それぞれの長手方向軸（Ｌ）に沿って対向する長手方向端部（１４ａ，１４ｂ）間に延設されるとともに前記抽出製品（１１）を収容するためのそれぞれのチャンバ（１４ｉ）を構成するよう内部が中空である本体（１４）を備えており、前記チャンバは、境界が、前記容器本体（１４）のそれぞれの周辺壁（１６）によって定められる容器において、
前記周辺壁（１６）は、前記抽出製品を保持するための手段を構成する対応する部分（１６１）を有し、
前記部分（１６１）は、前記容器本体の対応する一方の長手方向端部（１４ａ）に向かって窄むよう長手方向に延設されており、前記抽出製品（１１）の対応する外面（１１’）と係合するように設計されている容器。
【請求項１４】
請求項１３に記載の容器において、前記容器の前記本体の前記周辺壁（１６）の前記窄み部分（１６１）は、対応する球状形状に応じて構成される容器。
【請求項１５】
請求項１３または１４に記載の容器において、前記周辺壁（１６）の前記窄み部分（１６１）は、前記製品を収容するための前記チャンバ（１４ｉ）の内部に面しているそれぞれの凹部をもつ対応する曲面状周辺形状に応じて構成される容器。
【請求項１６】
請求項１３から１５のいずれか一に記載の容器において、前記窄み部分（１６１）は、前記周辺壁（１６）の中間領域にある容器。
【請求項１７】
請求項１３から１６のいずれか一に記載の容器において、前記容器の前記本体（１４）は、前記容器の前記本体の対応する一方の端部（１４ａ）に、対応する一方の水平閉鎖壁（１８）を有する容器。
【請求項１８】
請求項１７に記載の容器において、前記対応する一方の水平閉鎖壁（１８）は前記周辺壁と一体である容器。
【請求項１９】
請求項１３から１８のいずれか一に記載の容器において、前記容器の前記本体（１４）は一方の開口端部壁（１４ｂ）を有する容器。
【請求項２０】
請求項１３から１９のいずれか一に記載の容器において、前記容器の前記本体の前記周辺壁（１６）は、端部部分（１６２）を、好ましくは円筒状であり、前記容器本体の前記窄み部分（１６１）と前記対応する一方の端部、特に前記対応する一方の水平端部閉鎖壁（１８）との間に延設される端部部分（１６２）を有する容器。
【請求項２１】
請求項１７から２０のいずれか一に記載の容器において、前記対応する一方の水平壁（１８）と前記周辺壁（１６）、特に前記円筒状端部部分（１６２）との間に、周辺曲面状接続部分（１６８）が配置される容器。
【請求項２２】
請求項１３から２１のいずれか一に記載の容器において、前記容器本体の前記周面（１６）の前記窄み部分（１６１）は、前記抽出製品（１１）の対応する円筒状部分と係合するよう設計される対応する部分（１６１’’）から延設されている容器。
【請求項２３】
請求項１３から２２のいずれか一に記載の容器において、前記容器本体の前記一方の開口端部（１４ｂ）と前記周辺面（１６）の表面（１６１，１６１”）との間に、拡張周辺部分（１６３）が配置され、そこから対応する円筒状部分（１６４）が延設される、または前記収容チャンバ（１４ｉ）の外部に向かって径方向に突出するそれに対応する周辺リップ（１６５）が配置される容器。
【請求項２４】
請求項１３から２３のいずれかに記載の容器において、前記容器本体の前記開口端部（１４ｂ）は、前記容器本体と、特に前記容器本体の前記周辺壁（１６）と、とりわけ前記それぞれに対応する円筒状端部部分（１６４）と、係合し係合解除できる対応するカバー（１７）によって閉じられる容器。
【請求項２５】
請求項２４に記載の容器において、前記カバー（１７）は、前記支持体（１４）に特に前記周辺壁（１６）に接続するための対応する手段（１７１）を担持している容器。
【請求項２６】
請求項２４または２５に記載の容器において、前記カバー（１７）は、円盤状部分（１７２）を備え、当該円盤状部分から幅または直径が低減された対応する軸方向部分（１７３）が軸方向に延設される、特に前記接続手段（１７１）が前記カバー（１７）の前記それぞれに対応する軸方向部分（１７３）に配置される容器。
【請求項２７】
請求項２５または２６に記載の容器において、前記接続手段（１７１）は、前記容器本体の前記対応する内面と、特に前記容器本体の前記それぞれの周辺壁（１６）の前記端部部分と、係合するための対応する弾性手段の態様であり、前記接続手段は、前記軸方向要素（１７３）の周囲に巻き付ける対応するＯリング（１７５）の態様である容器。
【請求項２８】
請求項２５から２７のいずれか一に記載の容器において、前記接続手段（１７１）は、前記カバー（１７）の前記軸方向部分（１７３）に配置される対応するネジ部を備えており、
前記ネジ部は、前記容器本体（１４）に、特に前記それぞれの周辺壁（１６）の前記端部部分の前記内面に、形成される対照をなすネジ部と連結されるよう設計されている容器。
【請求項２９】
請求項２４から２８のいずれか一に記載の容器において、前記カバー（１７）は、前記容器本体（１４）の前記突出周辺リップ（１６５）に配置される突出周辺部分を有する容器。
【請求項３０】
請求項２４から２９のいずれか一に記載の容器において、前記カバー（１７）は、前記抽出製品を収容するための前記チャンバにおいて前記抽出用液体を放出するための対応する手段を導入するためのそれぞれに対応する孔状手段（１７９）を、特に単一の孔を、好ましくは前記容器本体の中央にあるまたは前記容器本体の前記長手方向軸（Ｌ）上にある単一の孔を有する容器。
【請求項３１】
請求項２４から３０のいずれかに記載の容器において、前記カバー（１７）は、それに対応する穿孔中央領域に、前記カバー（１７）の外面に対して窪んでいる対応する部分（１７０）を、外側に、有しており、前記窪み部（１７０）は、前記カバー（１７）に形成される前記孔（１７９）の周囲に同軸状に延設されている容器。
【請求項３２】
請求項１７から３１のいずれか一に記載の容器において、前記容器（１４）の前記本体の前記対応する一方の水平端部壁（１８）は、抽出された飲料が流れ出るための対応する孔状手段（１６９）を有する容器。
【請求項３３】
請求項３２に記載の容器において、前記孔状手段は複数の貫通孔（１６９）を有する容器。
【請求項３４】
請求項３２または３３に記載の容器において、前記孔（１６９）のそれぞれの直径は約３ｍｍである容器。
【請求項３５】
請求項３２から３４のいずれかに記載の容器において、前記複数の貫通孔（１６９）には、中央孔（１６９）と、該中央孔の周辺に分配された複数の孔と、が含まれる容器。
【請求項３６】
請求項３３から３５のいずれか一に記載の容器において、前記複数の貫通孔（１６９）には、第一円周上に配置される第一の複数の孔（１６９１）と、好ましくは前記第一円周よりも直径が大きい第二円周上に配置される第二の複数の孔（１６９２）と、さらに必要であれば前記第二円周よりも大きい第三円周上に配置される第三の複数の孔（１６９３）と、が含まれる容器。
【請求項３７】
請求項１３から３６のいずれか一に記載の容器において、請求項１から１２のいずれかに記載の製品を収容するための容器。
【請求項３８】
請求項１３から３７のいずれか一に記載の容器において、前記容器の前記本体は、プラスチック材料で形成されている、好ましくは、熱成形プラスチック材料で、および／または前記容器の外側の環境に対するバリアを形成する材料で形成されており、好ましくは孔がない特に前記容器の前記本体の前記対応する一方の水平端部壁に孔がない容器。
【請求項３９】
請求項１３から３８のいずれか一に記載の容器において、前記閉じるカバーは、フィルムによって、特にバリア材料によって、好ましくはアルミニウム・フィルムまたは対応する多層膜によって、形成されており、前記フィルムは、前記容器の前記本体に連結されて、前記径方向突出周辺リップに接着される容器。
【請求項４０】
請求項１３から３９のいずれか一に記載の容器と、
前記容器の内部に、請求項１から１２のいずれか一に記載の抽出製品と、
を備える対応する飲料を生産するための抽出カプセル。
【請求項４１】
それぞれ対応する請求項１から４０のいずれか一としての製品、容器ならびに／もしくはカプセルである、および／または明細書に説明し、例示した、特に添付図面に例示した製品、容器ならびに／もしくはカプセル。
【発明の詳細な説明】
【技術分野】
【０００１】
本発明は、抽出によって飲料を生産するための製品に関する。
【背景技術】
【０００２】
抽出によってそれぞれに対応する飲料を特に温かい飲み物（ホット・ドリンク）をとりわけコーヒーを生産するための従来技術製品であって、湯を用いるそれぞれに関連する機械において抽出によって飲料が得られる製品がある。
【０００３】
従来技術製品は、抽出原料を特に焙煎され挽豆されたコーヒーを備える。原料は通常、特別な容器に、好ましくはプラスチックに、場合によっては適当な抽出機械に挿入可能なそれぞれのアダプター容器の態様のプラスチックに挿入される。
【０００４】
しかしながら、これらの従来技術製品は、アダプター容器の内部において正しい配置が得られない虞があり、抽出によくない影響が生じる、したがって飲料によくない影響が生じる欠点がある。
【０００５】
また、硬質生分解性プラスチック材料で形成される対応する抽出原料のための従来技術容器がある。しかしながら、これらの容器は、製品の対応するパッケージを得るために全体が生物分解性である材料を多分に用いる必要があり、多分な量の材料を廃棄する必要がある。
【０００６】
また、抽出原料をぎっしり詰めて、つまり、それぞれの構成粒子を互いに密着させて生産することも従来技術として知られている。しかしながら、ぎっしり詰めた原料はそれぞれのアダプター容器内には用いられず、対応するバリア収容材料に包まれて、その対応するバリア収容材料によって特定の注入機械内に直接挿入される。
【発明の概要】
【０００７】
したがって、本発明は、今まで知られている解決法の代替案として新しい解決法を提案する、より具体的には、一以上の上述した欠点もしくは問題を克服する、および／または業界において感じられているもしくは上記から推測できる一以上の必要性に適う解決法を提案する。
【０００８】
したがって、抽出によって、それぞれに対応する飲料を特に温かい飲み物をとりわけコーヒーを生産する製品を提供する。ここで、飲料は好ましくは、抽出用液体を特に水の態様のとりわけ湯の態様の抽出用液体を用いるそれぞれに関連する機械において抽出を行うことによって得られる。製品は、適当な抽出用容器に特にアダプター容器の態様の抽出用容器に収容されるよう好ましくは設計されている抽出原料を好ましくは焙煎され挽豆されたコーヒーの態様の抽出原料を備えている。特徴的には、抽出原料はぎっしり詰められて構成されており、すなわち、それぞれの構成粒子が互いに密着しており、抽出製品は、軸方向に沿って対向する長手方向端部間に延設されており、抽出製品の周面または周面の一部分が、長手方向に延設されるとともに対応する一方の長手方向端部に向かって窄み、抽出用容器の対応する内側形状と係合するように設計されている、製品を提供する。
【０００９】
これにより、製品がそれぞれの容器の特にアダプター容器の内部において製品自体の位置決めが不正確になる虞を回避することができるまたは最小限にすることができる。
【００１０】
これにより、原料を廃棄物として有機廃棄物容器内に容易に入れることができ、そして多分な量の材料を棄てることを回避できるまたはなくすことができる。
【００１１】
また、抽出によって、それぞれに対応する飲料を特に温かい飲み物をとりわけコーヒーを生産するそれぞれの製品の抽出のための容器を、提供する。ここでは、飲料が好ましくは、抽出用液体を特に水の態様のとりわけ湯の態様の抽出用液体を用いるそれぞれに関連する機械によって得られる。容器は、抽出機械のそれぞれの受け部に差し込まれるように設計されている。容器は、それぞれの長手方向軸に沿って対向する長手方向端部間に延設されるとともに抽出製品を収容するためのそれぞれのチャンバを構成するよう内部が中空である本体を備える。チャンバは、境界が、容器本体のそれぞれの周辺壁によって定められる。特徴的には、周辺壁は、抽出製品を保持するための手段を構成する対応する部分を有する。また、部分は、容器本体の対応する一方の長手方向端部に向かって窄むよう長手方向に延設されており、抽出製品の対応する外面と係合するように設計されている。
【００１２】
これにより、特に対応する容器を用いて廃棄する必要なく、そして特に有機廃棄物としての多分な量の材料を廃棄する必要なく、有用な製品を用いて良質な飲料を得ることができる。
【図面の簡単な説明】
【００１３】
この面および他の革新的な面すなわち特定の有用な特徴は、添付の特許請求の範囲に記載しており、その技術的特徴および利点は、単なる限定するものではない例として考慮すべき以降のその好ましい有用な実施形態の詳細な説明から明らかとなろう。説明は、以下の添付図面を参照して記載される。
【図１Ａ】本発明にかかる好ましい実施形態の抽出製品を収容する本発明にかかる好ましい実施形態の容器の、上から見た斜視図および下から見た斜視図を示す。
【図１Ｂ】本発明にかかる好ましい実施形態の抽出製品を収容する本発明にかかる好ましい実施形態の容器の、上から見た斜視図および下から見た斜視図を示す。
【図２Ａ】上から見た分解斜視図および下から見た分解斜視図である。
【図２Ｂ】上から見た分解斜視図および下から見た分解斜視図である。
【図３】対応する好ましい実施形態にかかるそれぞれの製品を収容する好ましい実施形態の容器の長手方向断面図である。
【図４】本発明のその対応する好ましい実施形態にかかる容器のみの長手方向断面図である。
【図５】容器の最上部のみの平面図である。
【図６】容器のみの斜視図である。
【発明を実施するための形態】
【００１４】
図１Ａ〜図３に、抽出によって、それぞれに対応する飲料を特に温かい飲み物をとりわけコーヒーを生産する好ましい実施形態の製品１１を示す。
【００１５】
飲料は、それに対応する抽出用液体を特に水の態様のとりわけ湯の態様の抽出用液体が用いられるそれぞれに関連する機械において抽出を行うことによって得られる。
【００１６】
製品は、抽出原料１３を好ましくは焙煎され挽豆されたコーヒーの態様の抽出原料を備える。製品は、適当な抽出用容器に特にアダプター容器の態様の抽出用容器１２に、つまり対応する抽出機械のそれぞれの受け部に挿入されるよう設計されている容器に、収容されるよう設計されている。
【００１７】
好適には、容器１２の外形形状は、少なくとも、それぞれに関連する抽出機械における受け部の基本的な幾何学的寸法および／または形状と一致し、そして、ここに図示するとともに以下により詳細に説明する特定のアダプター構成において、それぞれに関連する抽出機械における受け部は、抽出製品の挿入および取り外しを可能にするために好ましくは開くことができる。
【００１８】
好適には、抽出原料１３はぎっしり詰められて構成されており、または有用なタブレット（錠剤）の態様であり、すなわち、それぞれの構成粒子が互いに密着している。
【００１９】
図示する通り、抽出製品は、軸方向すなわち長手方向「Ｌ」に沿って対向する長手方向端部１１ａ，１１ｂ間に延設されており、抽出製品の周面１１ｅが、好適には抽出用容器１２の対応する内側形状と係合するよう長手方向に延設されるとともに対応する一方の長手方向端部１１ａに向かって窄む。
【００２０】
これにより、対応する容器に、特にここで図示する通りアダプター容器１２の内部に、抽出製品を容易に挿入することができ、したがって、製品１１がそれぞれの容器において製品自体の位置決めが不正確になる虞を、そして、飲料の正常な生産によくない影響が及ぶ虞を回避するまたは最小限にすることができる。
【００２１】
さらに、好適には、本製品１１は、抽出製品に加えて、特に濾過フィルムの態様の（すなわち抽出用液体を通過させるフィルムの態様の）第一フィルム１５を備える。第一フィルムは、好適には、生物分解性（ｂｉｏｄｅｇｒａｄａｂｌｅ）および／または堆肥化可能な（ｃｏｍｐｏｓｔａｂｌｅ）材料で、好ましくは食品安全性がある（ｆｏｏｄ  ｓａｆｅ）材料で形成される。
【００２２】
好適には、包装フィルム１５は、ＰＬＡで形成されており、ぎっしり詰まった原料１３を囲繞している、特に製品１１の外面を構成している。
【００２３】
好適には、包装フィルム１５は、食品抽出原料１３の周囲全体を囲繞する。
【００２４】
これにより、抽出原料の粉末または小片群がこぼれる（ｒｅｌｅａｓｉｎｇ）のを毎回防止できる利点がある。
【００２５】
さらに、製品１１を、廃棄物として有機または生物分解性廃棄物を収集するためのゴミ箱へと入れることができる利点がある。
【００２６】
これにより、さらに、製品と容器の内側の受け形状面（ｉｎｎｅｒ  ｒｅｃｅｉｖｉｎｇ  ｐｒｏｆｉｌｅ  ｓｕｒｆａｃｅ）との係合の摩擦を特に低減でき、したがって、容器の内側における製品の位置決めが容易になり、それぞれの容器において製品の位置決めが不正確になる虞を回避するまたは最小限にすることができる。
【００２７】
さらに、容器からの製品の取り出しも容易になる利点がある、すなわち、その結果として容器からの分離も容易になり、対応する有機または生物分解性廃棄物収集器への廃棄の点から、利点がある。
【００２８】
好適には、図示する通り、製品は、形状が半球状もしくは略半球状である周面１１ｅを有する、または周面の一部分１１’の形状が半球状もしくは略半球状である。
【００２９】
これにより、容器に、特にアダプター容器１２の内部に、抽出製品をさらにより容易に挿入することができ、したがって、それぞれの容器において製品１１自体の位置決めが不正確になる虞を、そして、飲料の正常な生産によくない影響が及ぶ虞を回避するまたは最小限にすることができる。
【００３０】
さらに、これにより、製品の内部に収容される抽出製品の量を最大限にでき、特に好適な品質の抽出製品を得ることができる。
【００３１】
図示する通り、製品１１は、円筒状または略円筒状である周面の一部分１１’を有する。
【００３２】
図示する通り、半球状または略半球状である部分１１’は、円筒状または略円筒状である部分１１”から延設されている。
【００３３】
図示する通り、製品１１はまた、対応する広い端面１１ｐを特に平坦な広い端面を有する。
【００３４】
好適には、この端面１１ｐは、製品１１が用いられる容器の内部に入ってくる抽出用液体のフローが当たるよう設計される。使用時において抽出用液体のフローは端面１１を通過して、抽出原料１３内へと入り、これにより、原料から液体への抽出が行われる。
【００３５】
好適には、包装フィルム１５は、このように製品の外面１１ｅを構成し、したがって特に製品の外面の対応する端部部分に半球状または略半球状構成を有する。
【００３６】
より具体的には、包装フィルム１５または、製品のそれぞれの円筒状外面に円筒状または略円筒状の部分を有する。
【００３７】
さらに、図示する通り、包装フィルム１５はまた、対応する水平な平坦部分を構成する、製品の平坦な端面を構成する。
【００３８】
好適には、包装フィルム１５は、ぎっしり詰まった態様の抽出原料に密着する、特に原料の外側の側面１３ｅおよび／または原料の水平端面１３ｐに完全に密着する。
【００３９】
より具体的には、したがって、好適には、包装フィルム１５は、原料１３の外面全体に完全に密着する。
【００４０】
包装フィルム１５が密着している抽出原料のタブレット１３は、それぞれの粒子から、特に粉末、果粒、小片群および／または同種のものから得られる。原料は、フィルム１５に挿入され、そして抽出原料のぎっしり詰まった構成すなわちタブレットが得られるまで、フィルムが原料に密着するよう、超音波エネルギーを受ける。
【００４１】
添付図面には詳細には示していないが、包装フィルム１５は、特に製品の対応する端面１１ｐから延設される突出周辺縁部を有することが想定される。突出周辺縁部は、好適には、製品の中央域に向かって抽出用液体を移動させる手段を構成するよう形成される。
【００４２】
このことは、濾過において抽出用液体を製品の最も内側の領域を通すのに、すなわち抽出原料の想定される最大の部分を通すのに、大いに貢献する。
【００４３】
好適には、抽出製品１５は、添付図面には詳細に示さないが、外側保護包装材すなわち風味保存包装材を備える。包装材は、好ましくはアルミニウム・フィルムで形成され、互いに対向する二つの包装シートから好ましくは構成され、好ましくは互いに封止され、そして最後に、好ましくは製品１１の周囲に巻き付けられる。
【００４４】
アルミニウム・フィルムは、好適には、特に破くことによって開けられ、抽出製品１１との連通が可能となり、以下に詳細に説明する通り、その後、それぞれのアダプター容器１２に配置される。
【００４５】
図示する通り、好適には、抽出製品１１の長手方向長さまたは高さは、抽出製品１１の幅または直径の半分より大きい。
【００４６】
これにより、消費者に良質な飲料を確実に提供するよう、抽出原料の量を最大限に用いることができる。
【００４７】
また図４〜図６に、抽出によってそれぞれに対応する飲料を特に温かい飲み物をとりわけコーヒーの態様で生産するために製品１１を収容するための好適な容器（特にアダプター容器）１２を示す。
【００４８】
飲料は好ましくは、抽出用液体を特に水の態様のとりわけ湯の態様の抽出用液体を用いるそれぞれに関連する機械によって得られる。
【００４９】
容器１２は、対応する抽出機械のそれぞれの受け部に挿入されるように設計されており、抽出機械の受け部への挿入に適した外形寸法および／または形状を有する。
【００５０】
図示する通り、容器１２は、それぞれの長手方向軸Ｌに沿って容器の本体の対向する端部１４ａ，１４ｂ間に延設されて配置される容器の本体１４を備える。容器の本体は、抽出製品１１を収容するためのチャンバ１４ｉを形成するよう内部が中空である。図示する通り、チャンバ１４ｉは、境界が容器本体のそれぞれの周辺壁１６によって定められる。
【００５１】
好適には、容器１４の本体の周辺壁１６は、抽出製品を保持するための手段を構成する対応する部分１６１を有する。
【００５２】
好適には、同部分１６１は、長手方向に延設され、容器本体１４の対応する一方の長手方向端部１４ａに向かって窄むよう形成され、抽出製品１１の対応する外面１１’と係合するよう設計されている。
【００５３】
好適には、容器本体の周辺壁１６の窄み部分１６１は、対応する球状形状によって形成される。
【００５４】
より具体的には、容器本体の周辺壁１６の窄み部分１６１は、製品を収容するためのチャンバ１４ｉの内部に向かって曲面状で凹状である対応する周辺形状によって、すなわち製品を収容するためのチャンバ１４ｉの内部に向かっている対応する凹部を形成するよう曲面状である対応する周辺形状に応じて構成される。
【００５５】
図示する通り、好適には、窄み部分１６１は周辺壁１６の中間領域に位置する。
【００５６】
図示する通り、容器の本体１４は、容器本体の対応する一方の端部１４ａに、特に容器の本体の径が最も低減された端部に、すなわち抽出飲料が流れ出る端部に、対応する一方の水平閉鎖壁１８を有する。
【００５７】
図示する通り、好適には、容器の本体１４は一方の開口端部１４ｂを有する。
【００５８】
図示する通り、容器の本体の周辺壁１６は、端部部分１６２を、好ましくは円筒状であり、容器本体の窄み部分と対応する一方の端部（特に対応する一方の水平閉鎖壁１８）との間に延設される端部部分１６２を有する。
【００５９】
より具体的には、図示する通り、それぞれの閉鎖壁１８と周辺壁１６（特にこの円筒状の端部部分１６２）との間に、周辺曲面状接続部分１６８が配置される。
【００６０】
図示する通り、好適には、容器１４の周面１６の窄み部分１６１は、抽出製品１１の対応する円筒状部分と係合するよう設計される周辺壁の対応する部分１６１’’から延設される。
【００６１】
図示する通り、容器本体の一方の開口端部１４ｂと周辺すなわち周辺面１６の表面１６１，１６１”との間に、拡張周辺部分すなわち円錐状周辺部分１６３が配置され、そこから対応する円筒状部分１６４が延設される、または製品１１を収容するためのチャンバ１４ｉの外部に向かって径方向に突出する対応する周辺リップ１６５が配置される。特に、図示する通り、リップ１６５は端部円筒状部分１６４から延設されている。
【００６２】
図示する通り、容器本体１４の開口端部１４ｂは、容器本体と係合し係合解除できる対応するカバー１７によって閉じられ、これにより、収容チャンバ１４ｉへ抽出製品１１を投入しそして取り出すことができる。
【００６３】
より具体的には、カバー１７は、容器本体の周辺壁１６と、特に周辺壁のそれぞれの円筒状部分１６４と、すなわちこの円筒状端部部分１６４の内面と、係合し係合解除できる。
【００６４】
図示する通り、好適には、カバー１７は、支持体１４に、特にこの支持体の周辺壁１６に、好ましくは周辺壁の円筒状端部部分１６４に、接続するための対応する手段１６１を担持する。
【００６５】
図示する通り、カバー１７は、広い円盤状の部分１７２を備える。広い円盤状の部分から、円盤状の部分１７２に対して幅または直径が低減された対応する軸方向部分１７３が軸方向に延設される。
【００６６】
より具体的には、接続手段１７１は、カバー１７のそれぞれに対応する軸方向部分１７３に配置される。
【００６７】
より具体的には、図示する通り、接続手段１７１は、容器本体１４の対応する内面と、特に容器本体のそれぞれの周辺壁１６の端部部分と、係合するための対応する弾性手段の態様である。
【００６８】
より具体的には、図示する通り、接続手段１７１は、対応するＯリング１７５の態様である。また場合によっては、接続手段を、容器本体１４上に（特にそれぞれの周辺壁１６の端部部分の内面に）形成される対照をなすネジ部（contrasting thread）と連結されるための対応するネジ部によって、すなわちまた他の接続手段によって、構成することもできる。
【００６９】
ネジ部が形成された接続手段は、添付図面に詳細には示していない。
【００７０】
図示する通り、Ｏリング１７５は、カバー１７の突出軸方向部分１７３上の適当な凹状溝に挿入される。
【００７１】
図面から分かるであろうが、カバー１７は、端部リップすなわち周辺端部分１７２’を有する。周辺端部分は、容器本体１４の対応する突出周辺リップ１６５に位置し、好ましくは突出周辺リップ上に配置される。
【００７２】
使用時には、カバー蓋１７の軸方向部分１７３は、周辺壁１６の内部に、特にその端部部分１６４の内部に延設される。
【００７３】
図示する通り、好適には、カバー１７は、抽出製品１１を収容するためのチャンバにおいて抽出用液体を放出するための対応する手段を導入するためのそれぞれに対応する孔状手段１７９を、特に単一の孔を、好ましくは容器本体の中央にあるまたは容器本体の長手方向軸Ｌ上にある単一の孔を有する。
【００７４】
図示する通り、カバー１７は、それぞれの穿孔中央領域に、カバー１７の外面に対して窪んでいる対応する部分１７０を、外側に、有する。窪み部は、カバー１７に形成される孔１７９の周囲に同軸状に延設されている。
【００７５】
図示する通り、好適には、容器１４の本体の対応する一方の水平端部壁１８は、抽出された飲料が流れ出るための対応する孔状手段１６９を有する。
【００７６】
図示する通り、好適には、孔状手段１６９には、水平端部壁１８を貫通する複数の孔が含まれる。
【００７７】
より具体的には、図示の孔１６９のそれぞれの直径は略３ｍｍである。より具体的には、好ましい実施形態の複数の貫通孔のすべての孔の直径は同じである。
【００７８】
さらに、図示する通り、複数の貫通孔１６９には、中央孔１６９と、該中央孔の周辺に分配された複数の孔と、が含まれる。
【００７９】
複数の孔１６９には、第一円周上に配置される第一の複数の孔１６９１と、好ましくは第一円周よりも直径が大きい第二円周上に配置される第二の複数の孔１６９２と、さらに必要であれば第二円周よりも直径が大きい第三円周上に配置される第三の複数の孔１６９３と、が含まれる。
【００８０】
図示する通り、好適には、第一円周および第三円周の孔は、径方向に互いに並んで配置されており、一方、第二円周の孔は、第三円周の孔に対して周方向にオフセットされている、すなわち角度がオフセットしている。
【００８１】
好適には、容器の本体および／またはそれに対応する閉じるためのカバーを、金属材料および／またはプラスチック材で形成でき、好ましくは硬質な材料で形成できる。
【００８２】
添付図面には示していないが、いずれの場合も、上述した容器と同じ形状を有する容器のさらなる好ましい実施形態では、このさらなる好ましい実施形態の容器の本体１４は、プラスチック材料で形成され、好ましくは熱成形プラスチック材料および／または容器の外側の環境に対する障壁（バリア（ｂａｒｒｉｅｒ））を形成する材料で形成される。この場合、容器１４の本体は、孔がない、特に容器の本体の対応する一方の水平端部壁１８に孔がないことが好ましいであろう。
【００８３】
容器のこのさらなる好ましい実施形態において、容器本体１４の開口端部を閉じるためのそれに対応するカバーは、バリア材料好ましくはアルミニウム・フィルムで形成される単一フィルムもしくは対応する多層膜を備えることができる、またはこの単一フィルムもしくは対応する多層膜と置き換えることができる。この単一フィルムまたは対応する多層膜は、容器本体１４の開口端部を閉じるよう水平方向に延設される。
【００８４】
密封フィルムを、容器の本体に連結し、対応する径方向突出周辺リップ１６５の水平面に接着することができる。密封フィルムは、先の好ましい実施形態のカバーに形成されていた対応する孔状手段が全くないことは明らかであろう。
【００８５】
このように、容器の内部に上述の抽出製品１１が入っており、好ましくは外部環境に対して封止された抽出カプセルが得られる。カプセルは、対応する飲料を得るために、対応する抽出機械において使用するよう設計されている。この場合、抽出機械は、適当な方法で、容器の本体および／または容器本体の一方の開口端部の対応する密封フィルムを穿孔し、これにより、水を好ましくは湯を容器本体内へと通して製品１１と接触させることが可能となり、その結果、湯水への製品の抽出を行うことができる。
【００８６】
説明した発明は、明確な工業的応用性を有する。上に詳細に説明した本発明の精神および範囲を逸脱しない限り、本発明に種々の変形および変更が行えることは当業者には明らかであろう。また、ここで説明した一以上の特徴を備える本発明のさらなる態様を思いつくことも難しくないであろう。さらに、本発明の細部はすべて、技術的に等価な要素で置き換えることができるも理解されよう。
【図１Ａ】
2018515320.tif 000002
【図１Ｂ】
2018515320.tif 000003
【図２Ａ】
2018515320.tif 000004
【図２Ｂ】
2018515320.tif 000005
【図３】
2018515320.tif 000006
【図４】
2018515320.tif 000007
【図５】
2018515320.tif 000008
【図６】
2018515320.tif 000009
【国際調査報告】
2018515320.tif 000010
2018515320.tif 000011
2018515320.tif 000012
2018515320.tif 000013
2018515320.tif 000014